(57)【要約】【課題】パッチパネルの前面側に接続した光ケーブルを背面側に引き出すための引き回しスペースをスプライスユニットの外部の空間のみで確保しなくても良い構成とすること。【解決手段】光ケーブル３のコネクタを前後面に接続可能なパッチパネル１２が回動可能に支持されたスプライスユニット１であって、パッチパネルに隣接した垂直面１３に、パッチパネル１２から背面側へと光ケーブルを引き回すことが可能な通線口１４を設けた構成とする。【選択図】図２
2018005066.tif 000002
【特許請求の範囲】
【請求項１】
光ケーブルのコネクタを前後面に接続可能なパッチパネルが回動可能に支持されたスプライスユニットであって、
パッチパネルに隣接した垂直面に、パッチパネルから背面側へと光ケーブルを引き回すことが可能な通線口を設けたスプライスユニット。
【請求項２】
前記垂直面にパッチパネルを回動可能に支持する蝶番を設けた請求項１に記載のスプライスユニット。
【請求項３】
前記垂直面に前記通線口を閉じる着脱自在な被覆部を備え、前記被覆部は配線ガイドを備えた請求項２に記載のスプライスユニット。
【請求項４】
スプライスユニット内の前記通線口に臨む位置に配した配線ガイドを、底面より離して設けた請求項１乃至３の何れかに記載のスプライスユニット。
【請求項５】
前記通線口をスプライスユニット背面に形成した開口部に対向する位置に設けた請求項１乃至３の何れかに記載のスプライスユニット。
【発明の詳細な説明】
【技術分野】
【０００１】
本発明は、スプライスユニットに関するものである。
【背景技術】
【０００２】
従来から、電気機器収納用箱にスプライスユニットや光通信機器ユニット（メディアコンバータやＨＵＢ等）などを搭載することは知られている。このような電気機器収納用箱には特許文献１に記載されているように、光ケーブルが配線されている。光ケーブルの端部にはコネクタが形成されており、このコネクタをパッチパネルなどに設けたコネクタ接続部に接続して使用している。通常は、事業者がパッチパネルの背面側に光ケーブルを接続し、利用者がパッチパネルの前側から光ケーブルを引き出し、光通信機器ユニットに接続することで、事業者の通信回線が使用可能な状態となる。
【先行技術文献】
【特許文献】
【０００３】
【特許文献１】特開２００４-１４４８０８号公報
【０００４】
ところで、電気機器収納用箱内に搭載した光通信機器ユニットは、背面側に光ケーブルの入力端子を備えている場合がある。この場合、光ケーブルをパッチパネルの前面側から背面側に引き回す必要があり、スプライスユニットと光通信機器ユニットとの間にそのためのスペースを設けなければならない場合があった。
【発明の概要】
【発明が解決しようとする課題】
【０００５】
本件の発明者は、この点について鋭意検討することにより、解決を試みた。本発明の課題は、パッチパネルの前面側に接続した光ケーブルを背面側に引き出すための引き回しスペースをスプライスユニットの外部の空間のみで確保しなくても良い構成とすることである。
【課題を解決するための手段】
【０００６】
上記課題を解決するため、次のような手段を採用する。第一の手段は、光ケーブルのコネクタを前後面に接続可能なパッチパネルが回動可能に支持されたスプライスユニットであって、パッチパネルに隣接した垂直面に、パッチパネルから背面側へと光ケーブルを引き回すことが可能な通線口を設けたスプライスユニットである。
【０００７】
第一の手段において、垂直面にパッチパネルを回動可能に支持する蝶番を設けた構成とすることが好ましい。また、垂直面に通線口を閉じる着脱自在な被覆部を備え、前記被覆部は配線ガイドを備えた構成とすることが好ましい。
【０００８】
第一の手段において、スプライスユニット内の通線口に臨む位置に配した配線ガイドを、底面より離して設けた構成とすることが好ましい。
【０００９】
第一の手段において、通線口をスプライスユニット背面に形成した開口部に対向する位置に設けた構成とすることが好ましい。
【発明の効果】
【００１０】
本発明では、パッチパネルの前面側に接続した光ケーブルを背面側に引き出すための引き回しスペースをスプライスユニットの外部の空間のみで確保しなくても良い構成とすることできる。
【図面の簡単な説明】
【００１１】
【図１】実施形態のスプライスユニットの斜視図である。
【図２】実施形態のスプライスユニットに光ケーブルを配線した状態を天板を省略して示した図である。
【図３】図２に示したスプライスユニットのパッチパネルを開放側に移動させた状態を示した図である。
【図４】スプライスユニットの通線口周りを背面側から見た斜視図である。
【図５】実施形態のスプライスユニットの通線口を被覆部で覆った状態で配線した例を示した図である。
【図６】スプライスユニットと光通信機器ユニットを電気機器収納用箱内に取り付けた状態を示した図である。
【図７】図６の部分拡大図である。
【図８】スプライスユニットを前側から見た分解斜視図である。
【図９】パッチパネルが閉じた状態を示す平面図である。ただし、蓋及び融着トレーカバーを取り外している。
【図１０】パッチパネルが開いた状態を示す平面図である。ただし、蓋及び融着トレーカバーを取り外している。
【図１１】スプライスユニットを後側から見た分解斜視図である。
【発明を実施するための形態】
【００１２】
以下に発明を実施するための形態を示す。本実施形態のスプライスユニット１は、配線を収納可能なユニットであり、光ケーブル３のコネクタを前後面に接続可能なパッチパネル１２が回動可能に支持されている。また、図１に示すように、パッチパネル１２に隣接した垂直面１３に、筐体１１の前面から背面側へと光ケーブル３を引き回すことが可能な通線口１４を設けている。このため、図２に示すような配線が可能となり、パッチパネル１２の前面側に接続した光ケーブル３を背面側に引き出すための引き回しスペースをスプライスユニット１の外部に設けなくても、パッチパネル１２の前面側に接続した光ケーブル３を背面側に引き出すことが可能となる。また、図３に示すようにパッチパネル１２が回動しても、その際に生じる光ケーブル３の動きを筐体１１内で吸収することができる。
【００１３】
垂直面１３に設けた通線口１４は、スプライスユニット１の背面に形成した開口部２１ａに対向する位置に設けており、当該開口部２１ａに向けて貫通するように構成されている。このためスプライスユニット１の背面に設けた開口部２１ａより光ケーブル３を引き回す作業を行うことができる。したがって、背面側の底面９２や天面などから光ケーブル３を引き出すことも可能となる。
【００１４】
通線口１４の端部には、内方に折り曲げた折り曲げ片４２を設けている。この折り曲げ片４２は配線ガイド２２が備えられており、開口端部に光ケーブル３が当接することを抑制するとともに、スプライスユニット１の側面９３に設けた複数の配線ガイド２２に向けて光ケーブル３を案内することが可能となるように構成されている。このスプライスユニット１の側面９３に設けた配線ガイド２２は、スプライスユニット１内の前記通線口１４に臨む位置に配しており、底面９２より離して設けている。このため、パッチパネル１２を回動しても、パッチパネル１２の背面側に接続する光ケーブル３と、パッチパネル１２の前面側に接続する光ケーブル３が、混在することが抑制される。また、パッチパネル１２を回動しても、パッチパネル１２の背面側に接続する光ケーブル３と、パッチパネル１２の前面側に接続する光ケーブル３が、絡まることは抑制される。
【００１５】
なお、パッチパネル１２の前面側配線案内部６３に引き出された光ケーブル３は、ガイドはされているが固定されていない。このため、パッチパネル１２を回動しても、光ケーブル３の折れなどの発生が抑制される。また、本実施形態の配線ガイド２２は側面視略Ｃ字状に形成されている。
【００１６】
ところで、パッチパネル１２を軸支する部位と対向可能な位置には、パッチパネル１２を開放した際に光ケーブル３が軸支する部位に挟まれることを抑制するガード部６６が備えられている。本実施形態のガード部６６は平面視略Ｌ字状に構成されており、パッチパネル１２に一体的に設けられている。
【００１７】
本実施形態のスプライスユニット１は、図５に示すように、垂直面１３に設けた通線口１４を閉じる着脱自在な被覆部１６を備えた構成とすることができる。本実施形態の被覆部１６は配線ガイド２２を備えており、パッチパネル１２の前側に接続した光ケーブル３を案内することが可能となっている。背面側に配線を引き回さない場合は、被覆部１６に備えた配線ガイド２２を用いることで、スプライスユニット１の上下方向への配線を適切に行いやすくなる。このような構成であると、状況に応じてスプライスユニット１の使用方法を変更できるため、使い勝手の良いスプライスユニット１となる。
【００１８】
ここで、本実施形態のスプライスユニット１を電気機器収納用箱５に組みつけた状態について説明する。図６及び図７に示すように、スプライスユニット１は電気機器収納用箱５に設けられたマウントアングル５２に取り付けて使用される。このためスプライスユニット１はマウントアングル５２に取り付け可能な取付部１７を備えている。取付部１７は、筐体１１の前側に固定される支持部材４５に備えられており、取付部１７を電気機器収納用箱５の前方側に配置しながら筐体１１を奥側に位置させることができるように構成されている。なお、本実施形態の電気機器収納用箱５は、スプライスユニット１の上側に光通信機器ユニットＦＵが組み付けられている。
【００１９】
本実施の形態のパッチパネル１２はマウントアングル５２の取付個所よりも後方に位置するように構成されている。このため、オープンラックのように前面を開放したラックであっても、配線が前面側に出た状態を回避することが可能となる。
【００２０】
次にスプライスユニット１の詳細について説明する。本実施形態のスプライスユニット１には、コネクタを接続可能なパッチパネル１２が備えられている。パッチパネル１２の前面側にはコネクタ接続部６２が設けられており、利用者がコネクタを接続可能な構成となっている。また、図８に示すように、パッチパネル１２は垂直面１３に対して蝶番１５で接続されており、パッチパネル１２が回動可能となっている。このため、パッチパネル１２は回動可能となり、パッチパネル１２の前側からの作業でもパッチパネル１２の背面に光ケーブル３の配線を行うことが可能となる。また、前面に光ケーブル３を接続したパッチパネル１２を回動しても、垂直面１３に設けた通線口１４に光ケーブル３が逃げることが可能となり、光ケーブル３がパッチパネル１２と筐体１１で挟み込むことが生じにくくなり、光ファイバが折れることを抑制可能となる。
【００２１】
パッチパネル１２の前側には前面側配線案内部６３を備えており、背面側には背面側配線案内部６４を備えている。パッチパネル１２と前面側配線案内部６３及び背面側配線案内部６４は一体となるように構成されており、パッチパネル１２と前面側配線案内部６３と背面側配線案内部６４がともに、軸部８２を中心に一体的に回動可能である。このため、スプライスユニット１の内部でコネクタを接続する作業などを行うことが比較的容易に行える。なお、背面側配線案内部６４には複数の配線ガイド６５が取り付けられており、この配線ガイド６５には光ファイバを絡ませることが可能となっている。
【００２２】
また、パッチパネル１２の回動時には、背面側配線案内部６４が常に底面９２にガイドされるように構成されている。したがって、コネクタや配線の重みでパッチパネル１２の端部が下がることが抑制され、蝶番１５に過度な負担がかかることが防止されている。
【００２３】
前面側配線案内部６３の垂直面１３よりの端部は切り欠き状に形成されている。したがって、図９に示す状態から図１０に示す状態にパッチパネル１２を回動させても前面側配線案内部６３の前に下方に続く空間９４が確保される。したがってパッチパネル１２を開放した際にも、配線に負荷がかかることが抑制される。
【００２４】
なお、スプライスユニット１の側面９３には、内方に突出したパッチパネル被係止部８４が備えられている。パッチパネル被係止部８４はパッチパネル係止部８５と当接可能な位置に設けられており、パッチパネル１２の回動範囲を制限している。また、パッチパネル被係止部８４とパッチパネル係止部８５とが噛み合うことで、パッチパネル１２を固定することが可能となる。
【００２５】
ところで、本実施形態のスプライスユニット１は、光ファイバと光ファイバを融着により接続した接続箇所を含む余長部がループ状に巻かれて収められている融着トレー８６が備えられている。また、本実施形態のスプライスユニット１は、この融着トレー８６を融着トレーカバー８７で覆うことが可能なように構成している。
【００２６】
本実施形態のスプライスユニット１の底面９２には、融着トレー８６の左右端部側に、天板９１方向に突出した融着トレーカバー保持片１８が設けられており、融着トレーカバー８７を保持可能としている。また、図１１に示すように、本実施形態のスプライスユニット１の底面９２には、左右方向に延びる板状の補強部７２が取り付けられている。この補強部７２は、融着トレー８６の前面側に配置されている。補強部７２には融着トレーカバー８７に備えた支持片８７ａを嵌め込み可能な融着トレー支持片用支持孔７３を備えている。また、融着トレーカバー８７の支持片８７ａと反対側には、ナイラッチ８８を備えており、融着トレーカバー８７で融着トレー８６を覆った状態を維持できるものとしている。
【００２７】
本実施形態のスプライスユニット１の底面９２には開口部２１ｂが設けられているが、この開口部２１ｂを覆うことが可能な蓋９６を取り付け取り外し可能な構成としている。この蓋９６には、光ケーブル３を保持可能なクランプ部９７が備えられており、クランプ部９７で固定された線を融着トレー８６側に導く融着トレーガイド部９８も備えられている。
【００２８】
蓋９６には支持片９６ａが備えられており、この支持片９６ａは、補強部７２に設けた蓋支持片用支持孔７４に嵌め込み可能に構成されている。また、蓋９６の支持片９６ａと反対側には、固定ねじ８９で固定可能に構成されており、蓋９６が底面９２の開口を覆った状態を維持できるものとしている。
【００２９】
なお、本実施形態では、垂直面１３の背面側となる底面９２であって平面視で通線口１４と直交する位置に開口部２１ｃを設けている。このようにすれば、背面からだけでなく底面からも配線が引き出せるようになる。
【００３０】
以上、一つの実施の形態について説明してきたが、本発明は上記実施の形態に限定されることはなく、各種の態様とすることが可能である。例えば、融着トレーカバーはナイラッチで固定される必要は無く固定ねじなどを用いて固定することが可能である。また、同様に蓋を固定ねじで固定される必要は無くナイラッチなどを用いて固定することが可能である。
【符号の説明】
【００３１】
１        スプライスユニット
３        光ケーブル
５        電気機器収納用箱
１１      筐体
１２      パッチパネル
１３      垂直面
１４      通線口
１５      蝶番
１６      被覆部
２２      配線ガイド
９２      底面
【図１】
2018005066.tif 000003
【図２】
2018005066.tif 000004
【図３】
2018005066.tif 000005
【図４】
2018005066.tif 000006
【図５】
2018005066.tif 000007
【図６】
2018005066.tif 000008
【図７】
2018005066.tif 000009
【図８】
2018005066.tif 000010
【図９】
2018005066.tif 000011
【図１０】
2018005066.tif 000012
【図１１】
2018005066.tif 000013